(57)【要約】【課題】  ユーザが自己の好みに応じたデザイン、素材の組み合わせを楽しむことが可能な水着用ブラジャーを提供する【解決手段】  右側カップ部を有する右側部と、左側カップ部を有する左側部と、右側部及び左側部を分離可能に連結する連結部とを有することを特徴とする左右分離可能なブラジャーである。左右のカップ部分を分離し、別の右側部又は左側部と組み合わせて連結し、新たなデザインのブラジャーをユーザが容易に作り出すことができる。【選択図】    図１
0003107888.tif 000002
【実用新案登録請求の範囲】
【請求項１】
カップ部の少なくとも片面を、水に濡れた場合収縮する特性を有する素材で形成したことを特徴とする、リバーシブルブラジャー。
【請求項２】
前記収縮する特性を有する素材は、ちりめん織りの布であることを特徴とする、請求項１に記載のリバーシブルブラジャー。
【考案の詳細な説明】
【技術分野】
【０００１】
本件考案は、リバーシブルブラジャーに関する。
【背景技術】
【０００２】
従来の水着用などのブラジャーは、表面・裏面にそれぞれ異なる色・柄・デザインを配して、リバーシブルに着用できるものが存在していた。
【考案の開示】
【考案が解決しようとする課題】
【０００３】
しかしながら、リバーシブル可能なブラジャーにおいて、伸縮性のない素材をブラジャーの片面に使用した場合には、ブラジャーの内側となる片面（肌に触れる面）で生地が余ってだぶついてしまい着心地が悪くなるという問題が合った。
【０００４】
本考案の目的は、裏・表面を内側としてもバストにフィットした着心地を実現するブラジャーを提供することにある。
【課題を解決するための手段】
【０００５】
上記課題を解決するための手段として、本件考案は以下のような特徴を有する。
【０００６】
本考案は、カップ部の少なくとも片面を、水に濡れた場合収縮する特性を有する素材で形成したことを特徴とする、リバーシブルなブラジャーとして提案される。
【０００７】
本考案によれば、水着として使用する場合によりフィット感に優れ、またきれいな形状を示すことが可能なブラジャーを提供することが可能となる。
【０００８】
また、収縮する特性を有する素材として、たとえば、ちりめん織りの布を使用しても良い。
【考案の効果】
【０００９】
本考案によれば、カップ部に配された水に濡れると縦横ともに縮むという素材の特性により、バストにフィットした着心地を実現することが可能となる。
【考案を実施するための最良の形態】
【００１０】
［１．第１の実施の形態］
本実施の形態にかかるブラジャーを図面を参照しながら説明する。
【００１１】
図１は、本実施の形態にかかるブラジャーの正面外観斜視図である。図１に示す例では、マネキンＭに本実施の形態にかかるブラジャー１を着用させた状態を示す。
【００１２】
ブラジャー１の前部中央には、左側部１Ｌ及び右側部１Ｒを連結するための連結手段として、フロントホック２が設けられている。フロントホック２は左側部１Ｌ及び右側部１Ｒを切り離し可能に連結する。
【００１３】
図２は、ブラジャー１の拡大図である。フロントホック２は、互いに係合可能な一対の連結部材２Ｌ、２Ｒで構成されており、連結部材２Ｌ、２Ｒは、左側部１Ｌ及び右側部１Ｒのそれぞれのカップ部１ＬＣ、１ＲＣに留められている。図３は、連結部材２Ｌ、２Ｒが連結された状態の拡大図であり、図４は、連結部材２Ｌ、２Ｒの連結が解消された状態の拡大図である。
【００１４】
図５は、ブラジャー１の背面外観図である。図５に示す例でも、マネキンＭに本実施の形態にかかるブラジャー１を着用させた状態で示している。左側部１Ｌ及び右側部１Ｒはそれぞれ、カップ部１ＬＣ、１ＲＣから延出している首部紐３Ｌ，３Ｒ及び胸部紐４Ｌ，４Ｒを有しており、着用時にはこれら首部紐３Ｌ，３Ｒ及び胸部紐４Ｌ，４Ｒを結ぶようになっている。また、左側部１Ｌ及び右側部１Ｒを分離する際には、首部紐３Ｌ，３Ｒ及び胸部紐４Ｌ，４Ｒの係合を解いた状態で行う。
【００１５】
図６（Ａ）（Ｂ）は、ブラジャー１の左側部１Ｌ、右側部１Ｒを独立して交換した状態を示す図である。図６（Ａ）は、ブラジャー１の左側部１Ｌに模様を有するものを、右側部１Ｒには無模様のものを選択して組み合わせ一のブラジャーとして使用した状態である。図６（Ｂ）は、ブラジャー１の左側部１Ｌに無模様のものを、右側部１Ｒには模様を有するものを選択して組み合わせ一のブラジャーとして使用した状態である。また、左側部１Ｌ、右側部１Ｒの双方に模様を有するもの又は無模様のものを組み合わせることもできる。このように、実質無模様（無地）のブラジャー、模様を有するブラジャーの２つを有していれば、４つのデザインバリエーションを楽しむことが可能となる。
【００１６】
本実施の形態のように、ブラジャー１を左右のカップ部１ＬＣ、１ＲＣを独立して交換可能とする構成によれば、バストにハンディキャップを持っているユーザにとってブラジャーを購入する段階でカップ部内部に挿入されるべきパットの形状及び厚みを左右のカップ部について独立に考慮することが可能となる。
【００１７】
また、本実施の形態にかかるブラジャー１がオーダーメイドにより製造される場合は、従来のような取り外し可能な補正パッドを別途使用する必要はなくなる。
【００１８】
また、ユーザは、左側部若しくは右側部を独立して他の左側部若しくは右側部と交換して、新たな左側部若しくは右側部の組み合わせからなるブラジャーを容易に作り出すことができるので、ユーザの多様なファッション性に対応することができ、またユーザは自己の嗜好に応じた独自のデザインのブラジャーを使用することが可能となる。
【００１９】
本実施の形態によれば、機能的・用途的な利点とともに、多様なファッション性に対応できるためユーザの気分的な高揚ももたらすことが可能である。
【００２０】
上述のブラジャーは、リバーシブル可能に表面、裏面の区別なく使用可能なブラジャーであって、ブラジャーの少なくともカップ部分１ＬＣ、１ＲＣにおいて、片面に「ちりめん」素材を用いたブラジャーであることを特徴とする。
【００２１】
リバーシブル可能なブラジャーにおいて、伸縮性のない素材をブラジャーの片面に使用した場合には、ブラジャーの内側となる片面（肌に触れる面）で生地が余ってだぶついてしまい着心地が悪くなるという問題があるが、本実施の形態のように「ちりめん」素材を用いた場合には、この素材の水に濡れると縦横ともに縮むという特性により、バストにフィットした着心地を実現することが可能となる。
【００２２】
また、「ちりめん」素材を用いた片面を表面として使用した場合、カップ部内部に挿入するバストパットにフィットするように「ちりめん」素材が適度に収縮し、適度な形の良いバストを形成することが可能となる。
【００２３】
また、最近市場に出回っている「ヌーブラ」と称されるブラジャーと組み合わせて着用すれば、通常水着のブラジャーの中に挿入されるべきバストパットを使用しないで、２通り（リバーシブル）の使い方が可能となる。
【００２４】
本実施の形態にかかるブラジャーによれば、フィット感に優れているとともにファッション性に優れたブラジャーを提供することが可能である。
【００２５】
［３．変形例］
（１）  上記例では、主として水着用のブラジャーとして本考案を説明したが、本考案は水着以外の下着用ブラジャーや、いわゆる「見せるブラジャー」にも適用可能である。
（２）  上記第１，第２の実施の形態の組み合わせも、本考案の技術的範囲に含まれる。すなわち、本考案の変形例として、左右分離可能且つリバーシブル可能なブラジャーであって、少なくともカップ部の片面に水に濡れた場合収縮する素材を使用したブラジャーが含まれる。
【図面の簡単な説明】
【００２６】
【図１】本考案にかかるブラジャーの外観図
【図２】本考案にかかるブラジャーの拡大外観図
【図３】連結した状態のフロントホックを示す図
【図４】連結が解消された状態のフロントホックを示す図
【図５】本考案にかかるブラジャーの背部側外観図
【図６（Ａ）】ブラジャーの左側部、右側部を独立して交換した状態を示す図
【図６（Ｂ）】ブラジャーの左側部、右側部を独立して交換した状態を示す図
【符号の説明】
【００２７】
１  …  ブラジャー
１Ｌ  …  左側部
１Ｒ  …  右側部
１ＬＣ，１ＲＣ  …  カップ部
２  …  フロントホック（連結手段）
２Ｌ，２Ｒ  …  連結部材
３Ｌ、３Ｒ  …  首部紐
４Ｌ、４Ｒ  …  胸部紐
【図１】
0003107888.tif 000003
【図２】
0003107888.tif 000004
【図３】
0003107888.tif 000005
【図４】
0003107888.tif 000006
【図５】
0003107888.tif 000007
【図６（Ａ）】
0003107888.tif 000008
【図６（Ｂ）】
0003107888.tif 000009